(57)【要約】【課題】複数の映像データの合成描画機能を有する映像処理ＬＳＩを用いた表示装置で、入力される一つの映像データに、拡大又は縮小した同じその映像データを合成して表示させることはできなかった。【解決手段】第１の映像入力端子１６に入力された第１の映像データを第１の映像信号処理部２０を介して入力し拡大又は縮小できる第１の拡大圧縮処理部２２と、第２の映像入力端子１７に入力された第２の映像データを第２の映像信号処理部２４を介して入力し拡大又は縮小できる第２の拡大圧縮処理部２５と、第１及び第２の拡大圧縮処理部から出力される映像データを合成する合成処理部２６と、第２の拡大圧縮処理部に、第１及び第２の映像入力端子のいずれかの出力を選択的に切り替えて入力させる入力切替部２７とを備える。第１映像データ合成指令を受けた時には、入力切替部は、第１の映像入力端子の出力が第２の拡大圧縮処理部に入力するように切り替える。【選択図】図２
2009265186.tif 000002
【特許請求の範囲】
【請求項１】
第１の映像データを入力する第１の映像入力端子と、
第２の映像データを入力する第２の映像入力端子と、
前記第１の映像入力端子の出力を信号処理して入力し、拡大または縮小できる第１の拡大圧縮処理部と、
前記第１または第２の映像入力端子の出力を信号処理して入力し、拡大または縮小できる第２の拡大圧縮処理部と、
前記第１の拡大圧縮処理部から出力される映像データと、前記第２の拡大圧縮処理部から出力される映像データとを合成する合成処理部と、
前記第２の拡大圧縮処理部に、前記第１の映像入力端子の出力を信号処理して入力させるか、前記第２の映像入力端子の出力を信号処理して入力させるかを、選択的に切り替える入力切替部とを備え、
第１映像データ合成指令を受けたときには、前記入力切替部は、前記第１の映像入力端子の出力が信号処理されて前記第２の拡大圧縮処理部に入力するように切り替え、前記第１の拡大圧縮処理部は、信号処理されて入力された前記第１の映像データの画像サイズを拡大、縮小または変更せずに出力し、前記第２の拡大圧縮処理部は、信号処理されて入力された前記第１の映像データの画像サイズを拡大、縮小または変更せずに出力し、
前記第１映像データ合成指令を受けていないときには、前記入力切替部は、前記第２の映像入力端子の出力が信号処理されて前記第２の拡大圧縮処理部に入力するように切り替え、前記第１の拡大圧縮処理部は、信号処理されて入力された前記第１の映像データの画像サイズを拡大、縮小または変更せずに出力し、前記第２の拡大圧縮処理部は、信号処理されて入力された前記第２の映像データの画像サイズを拡大、縮小または変更せずに出力する映像処理デバイス。
【請求項２】
前記第１映像データ合成指令を受けたときには、
前記第１の拡大圧縮処理部および前記第２の拡大圧縮処理部の一方は、入力された前記第１の映像データに対して、前記第１映像データ合成指令を受けていないときと同じように画像サイズを拡大、縮小または変更せずに出力し、
もう一方は、入力された前記第１の映像データの画像サイズを、前記一方から出力される映像データよりも拡大して出力する、請求項１に記載の映像処理デバイス。
【請求項３】
前記第１の映像入力端子から出力された前記第１の映像データを調整し、前記第１の拡大圧縮処理部に入力する第１の映像信号処理部と、
前記第２の映像入力端子から出力された前記第２の映像データを調整し、前記第２の拡大圧縮処理部に入力する第２の映像信号処理部と、
前記第１の映像入力端子から出力された前記第１の映像データを調整し、前記第２の拡大圧縮処理部に入力する第３の映像信号処理部とを備え、
前記入力切替部は、前記第１映像データ合成指令を受けていないときには、前記第２の映像データが前記第２の映像信号処理部に入力するように切り替え、前記第１映像データ合成指令を受けたときには、前記第１の映像データが前記第３の映像信号処理部に入力するように切り替える、請求項１に記載の映像処理デバイス。
【請求項４】
前記第１映像データ合成指令を受けたときには、
前記第１の映像信号処理部は、前記第１の映像データについて、前記第１映像データ合成指令を受けていないときに出力する画像サイズに適した調整をし、
前記第３の映像信号処理部は、前記第１の映像データについて、画像サイズを拡大する場合に適した調整をし、
前記第１の拡大圧縮処理部は、前記第１の映像信号処理部で調整されて入力された前記第１の映像データを、前記第１映像データ合成指令を受けていないときと同じように画像サイズを拡大、縮小または変更せずに出力し、
前記第２の拡大圧縮処理部は、前記第３の映像信号処理部で調整されて入力された前記第１の映像データの画像サイズを、前記第１の拡大圧縮処理部から出力される映像データよりも拡大して出力する、請求項３に記載の映像処理デバイス。
【請求項５】
前記第１の映像入力端子から出力された前記第１の映像データを調整し、前記第１の拡大圧縮処理部に入力する第１の映像信号処理部と、
前記第１の映像入力端子から出力された前記第１の映像データを調整し、前記第２の拡大圧縮処理部に入力する、または、前記第２の映像入力端子から出力された前記第２の映像データを調整し、前記第２の拡大圧縮処理部に入力するマルチ映像信号処理部とを備え、
前記入力切替部は、前記第１映像データ合成指令を受けていないときには、前記第２の映像データが前記マルチ映像信号処理部に入力するように切り替え、前記第１映像データ合成指令を受けたときには、前記第１の映像データが前記マルチ映像信号処理部に入力するように切り替える、請求項１に記載の映像処理デバイス。
【請求項６】
前記第１映像データ合成指令を受けたときには、
前記第１の映像信号処理部は、前記第１の映像データについて、前記第１映像データ合成指令を受けていないときに出力する画像サイズに適した調整をし、
前記マルチ映像信号処理部は、前記第１の映像データについて、画像サイズを拡大する場合に適した調整をし、
前記第１の拡大圧縮処理部は、前記第１の映像信号処理部で調整されて入力された前記第１の映像データを、前記第１映像データ合成指令を受けていないときと同じように画像サイズを拡大、縮小または変更せずに出力し、
前記第２の拡大圧縮処理部は、前記マルチ映像信号処理部で調整されて入力された前記第１の映像データの画像サイズを、前記第１の拡大圧縮処理部から出力される映像データよりも拡大して出力する、請求項５に記載の映像処理デバイス。
【請求項７】
前記第１の映像入力端子の出力を前記第１の映像信号処理部に入力させるか、前記第２の映像入力端子の出力を前記第１の映像信号処理部に入力させるかを、選択的に切り替える第２の入力切替部をさらに備え、
前記第１の映像信号処理部は、前記第２の映像入力端子から出力された前記第２の映像データも調整できる、請求項５に記載の映像処理デバイス。
【請求項８】
前記第１の映像入力端子から出力された前記第１の映像データを調整し、前記第１の拡大圧縮処理部に入力する第１の映像信号処理部と、
前記第２の映像入力端子から出力された前記第２の映像データを調整し、前記第２の拡大圧縮処理部に入力する第２の映像信号処理部とを備え、
前記入力切替部は、前記第１映像データ合成指令を受けていないときには、前記第２の映像信号処理部の出力を前記第２の拡大圧縮処理部に入力するように切り替え、前記第１映像データ合成指令を受けたときには、前記第１の映像信号処理部の出力を前記第２の拡大圧縮処理部に入力するように切り替える、請求項１に記載の映像処理デバイス。
【請求項９】
前記第１の映像データは、カーナビゲーション用の映像データであり、
前記第２の映像データは、テレビ用の映像データである、請求項１〜８のいずれかに記載の映像処理デバイス。
【請求項１０】
前記第１の映像データは、テレビ用の映像データであり、
前記第２の映像データは、カーナビゲーション用の映像データである、請求項１〜８のいずれかに記載の映像処理デバイス。
【請求項１１】
請求項１〜１０のいずれかに記載の映像処理デバイスを備えた映像処理ＬＳＩ。
【請求項１２】
請求項１〜１０のいずれかに記載の映像処理デバイスと、
前記映像処理デバイスの動作を制御する制御用マイコンと、
前記映像処理デバイスから出力された映像データを表示する表示用パネルとを備えた表示装置。
【請求項１３】
前記映像処理デバイスが前記第１映像データ合成指令を受けた場合、前記表示用パネルには、前記第１の映像データが表示された画像の領域内に、前記第１の映像データの一部が拡大されて表示される、請求項１２に記載の表示装置。
【請求項１４】
前記映像処理デバイスが前記第１映像データ合成指令を受けた場合、前記表示用パネルには、前記第１の映像データの等倍画像と、前記第１の映像データの一部が拡大された画像とが、左右に並んで表示される、請求項１２に記載の表示装置。
【請求項１５】
リモコンからの信号を受信する受信部を備え、
前記制御用マイコンは、前記受信部で受信した信号に応じて、前記第１映像データ合成指令を前記映像処理デバイスに渡し、前記第１または第２の拡大圧縮処理部に入力された映像データの拡大範囲および拡大率の少なくとも一方を設定する、請求項１２〜１４のいずれかに記載の表示装置。
【請求項１６】
リモコンからの信号を受信する受信部を備え、
前記制御用マイコンは、前記受信部で受信した信号に応じて、映像データの一部をマスクする枠表示指令を前記映像処理デバイスに渡し、前記表示用パネルに拡大表示される映像部分の周りに枠を表示させる、請求項１３に記載の表示装置。
【請求項１７】
請求項９または１０に記載の映像処理デバイスと、前記映像処理デバイスの動作を制御する制御用マイコンと、前記映像処理デバイスから出力された映像データを表示する表示用パネルとを有する表示装置と、
カーナビゲーション用の映像データを生成し出力するカーナビ本体と、
テレビ用の映像データを出力するテレビチューナとを備えたカーナビゲーションシステム。
【発明の詳細な説明】
【技術分野】
【０００１】
本発明は、映像処理デバイス、映像処理ＬＳＩ、表示装置、およびカーナビゲーションシステムに関する。
【背景技術】
【０００２】
車載ディスプレイシステムの一つであるカーナビゲーションシステムは、地図および現在位置を同時に表示装置に表示して目的地への案内を行なったり、テレビやＤＶＤなどの映像を表示して車内にて映像を楽しむために用いられる。カーナビゲーションシステムは、ナビゲーション映像などの映像データを生成し出力するナビ本体と、ナビ本体から出力される映像データを表示する表示装置で構成されている。
【０００３】
通常、カーナビゲーションシステムの表示装置は、運転手から見えるコンソールパネルに設置されるので、表示装置に表示された画像は、前席に搭乗する人、例えば運転手には見ることができるが、後席に搭乗する人には見ることができない。
【０００４】
そこで、最近では、後席に搭乗する人もカーナビによる映像を見ることができるように、後席にも表示装置を設置する場合も多くなってきた。
【０００５】
例えば、後席にも表示装置を設置したカーナビゲーションシステムで、前席の表示装置にナビゲーション映像を表示させているときに、後席の表示装置において、前席の表示装置に表示されているナビゲーション映像を表示させ、その表示されているナビゲーション映像内の一部の領域にテレビの受信映像を表示させることができるシステムが知られている（例えば、特許文献１参照）。
【０００６】
このような前席あるいは後席の表示装置に入力されてくる２つの映像の合成表示は、２映像合成描画可能な映像処理ＬＳＩを設けることにより、次に説明するようにして実現している。
【０００７】
すなわち、図１１に、表示装置に複数入力される映像を合成して表示可能な表示装置を備えた従来のカーナビゲーションシステムの図を示す。
【０００８】
前席用表示装置６２が、コンソールパネルに設置され、後席用表示装置６３が、後席に搭乗する人に見える位置に設置されている。前席用表示装置６２および後席用表示装置６３は同じ構成であり、それぞれ２映像合成描画可能な映像処理ＬＳＩを備えており、入力される２つの映像を合成して表示できるようになっている。
【０００９】
ナビ本体６０では、ナビゲーション用のメニュー画像や、地図内に自車位置を表示させた画像などのナビ映像データを生成して出力する。また、テレビチューナ６１は、受信したテレビ映像データを出力する。
【００１０】
前席用表示装置６２および後席用表示装置６３には、いずれにも、これらのナビ映像データおよびテレビ映像データの２つの映像データが入力され、リモコン６４を前席用表示装置６２または後席用表示装置６３に向けて個別に操作することによって、前席用表示装置６２および後席用表示装置６３の表示を、個別に変更できるようになっている。
【００１１】
図１２に、後席用表示装置６３の構成図を示す。前述したように、前席用表示装置６２も同じ構成である。
【００１２】
後席用表示装置６３は、２映像合成描画可能な映像処理ＬＳＩ６５、表示パネル６６、制御用マイコン６７および赤外線受光部６８を備えている。
【００１３】
映像処理ＬＳＩ６５は、入力端子６９、７０、および出力端子７１を備え、内部に、ナビ映像信号処理部７２、テレビ映像信号処理部７４、拡大圧縮処理部７３、７５、および合成処理部７６を備えている。
【００１４】
映像処理ＬＳＩ６５のナビ映像信号処理部７２は、入力端子６９から入力されたナビ映像データに対してガンマ補正などの調整をし、拡大圧縮処理部７３は、制御用マイコン６７からの設定に応じて、その調整されたナビ映像データの画像サイズを拡大または縮小する処理をする。他方、テレビ映像信号処理部７４は、入力端子７０から入力されたテレビ映像データの復調処理などを行い、拡大圧縮処理部７５は、制御用マイコン６７からの設定に応じて、その復調されたテレビ映像データの画像サイズを拡大または縮小する処理をする。
【００１５】
合成処理部７６は、拡大圧縮処理部７３から入力されたナビ映像データと、拡大圧縮処理部７５から入力されたテレビ映像データについて、制御用マイコン６７からの設定にしたがって、一方の映像データのみ、または２つの映像データを合成した映像データを、出力端子７１から出力する。その出力端子７１から出力された映像データは、表示パネル６６に出力される。
【００１６】
赤外線受光部６８は、リモコン６４から赤外線で送信されてくる信号を受信し、制御用マイコン６７に渡す。そして、制御用マイコン６７は、赤外線受光部６８から入力された信号の内容に応じて、映像処理ＬＳＩ６５の、拡大圧縮処理部７３、７５、および合成処理部７６の処理を制御する。
【００１７】
図１３に、リモコン６４からの切り替え指示によって切り替え表示される、後席用表示装置６３の表示画面例を示す。
【００１８】
リモコン６４から、ナビゲーション映像を表示させる指示を受けた場合、制御用マイコン６７は、拡大圧縮処理部７３に入力されるナビ映像データを、表示パネル６６に表示させるための画像サイズに調整する処理を行わせ、合成処理部７６に、拡大圧縮処理部７３から入力されたその映像データを出力するように制御する。その結果、図１３に示す画面７７のようなナビゲーション映像の画像が表示パネル６６全面に表示される。
【００１９】
また、リモコン６４から、テレビ映像を表示させる切り替え指示を受けた場合、制御用マイコン６７は、拡大圧縮処理部７５に入力されるテレビ映像データを、表示パネル６６に表示させるための画像サイズに調整する処理を行わせ、合成処理部７６に、拡大圧縮処理部７５から入力されたその映像データを出力するように制御する。その結果、図１３に示す画面７８のようなテレビ映像の画像が表示パネル６６全面に表示される。
【００２０】
また、リモコン６４から、ナビゲーション映像の一部にテレビ映像を含む合成画像を表示させる切り替え指示を受けた場合、制御用マイコン６７は、拡大圧縮処理部７３に入力されるナビ映像データを、表示パネル６６に表示させるための画像サイズに調整する処理を行わせ、他方、拡大圧縮処理部７５に画像サイズを縮小させる処理を行わせ、合成処理部７６が、拡大圧縮処理部７３および７５から入力される２つの映像データを合成して出力するように制御する。その結果、図１３に示す画面７９のような、ナビゲーション映像内の一部にテレビ映像が表示された画像が表示パネル６６に表示される。
【００２１】
ここでは、合成画像の一例として、画面７９のように、ナビゲーション映像の一部にテレビ映像を合成させる例を示したが、テレビ映像の一部にナビゲーション映像を合成させて表示させることもできるし、ナビゲーション映像とテレビ映像が左右に並ぶように表示させることもできる。
【００２２】
このように、前席と後席の表示装置毎に２映像合成描画可能な映像処理ＬＳＩを備えさせたことにより、表示装置毎に、個別に入力される２つの映像データの切り替えおよび合成表示を実現できる。
【００２３】
他方、このようなカーナビゲーションシステムとは別に、ナビゲーション映像とともに、そのナビゲーション映像の一部を拡大して合成表示させるカーナビゲーションシステムも知られている（例えば、特許文献２参照）。
【００２４】
これは、自車位置を含む広い範囲の地図を表示させると同時に、自車位置を含む近くの範囲の地図を拡大して合成表示させるものであり、これによって運転者は、自車の状況を把握しやすくなる。
【００２５】
このナビゲーション映像の一部拡大表示は、図１１のナビ本体６０側において、一部拡大表示を含む映像データをナビ映像データとして作成し、合成出力することにより実現している。
【特許文献１】特許第３９５７６１２号公報
【特許文献２】特開平１０−３４００４５号公報
【発明の開示】
【発明が解決しようとする課題】
【００２６】
しかしながら、上述したいずれのシステムでも、表示装置側において、入力されて来る一つの映像データに同じその映像データの一部を合成した表示を行わせることはできなかった。
【００２７】
つまり、図１２に示すような、２映像合成描画可能な映像処理ＬＳＩ６５を備えた従来の構成の後席用表示装置６３では、入力されてくる２つの異なる映像データを、それぞれ拡大または縮小して合成することはできるものの、入力されてくる１つのデータ、例えばナビ映像データに対して、そのナビ映像データの一部を拡大したものを元のナビ映像データに合成して出力させることはできなかった。
【００２８】
例えば、従来の後席用表示装置６３に、ナビ映像データとして広域の地図のデータが入力されている場合に、そのナビ映像データの中の自車位置に近い範囲だけを拡大して、元の広域の地図データに合成して表示させるようなことはできなかった。
【００２９】
また、特許文献２のカーナビゲーションシステムの場合は、ナビ本体６０が、一部拡大表示を含む合成映像データをナビ映像データとして作成する機能を有しているに過ぎない。その結果、そのナビ映像データを映像処理ＬＳＩ６５の入力端子６９に入力させることにより、後席用表示装置６３に、一部拡大表示を含む合成ナビゲーション映像を表示させることができるが、このときに後席用表示装置６３に表示されるナビゲーション映像は、前席用表示装置６２に表示される合成ナビゲーション映像と同じものであり、例えば前席用表示装置６２を利用している運転者の意図によって設定された表示内容であって、後席用表示装置６３を見ている人の意図に関係なく表示されるものである。つまり、図１１および図１２に示すような従来の構成では、後席用表示装置６３を見ている人が、前席用表示装置６２の表示に関係なく、後席用表示装置６３の表示のみを一部拡大表示させようとしてもできなかった。
【００３０】
さらにまた、そもそもナビ本体６０が、一部拡大表示を含む合成映像データをナビ映像データとして作成する機能を有していない場合には、一部拡大表示を含む合成ナビゲーション映像を表示させることは全く実現できなかった。つまりこの場合には、後席用表示装置６３が無く、表示装置が前席用表示装置６２の１台だけの構成であっても、一部拡大表示を含む合成ナビゲーション映像を表示させることはできない。
【００３１】
本発明は、上記従来の課題を考慮して、表示装置において、入力される一つの映像データに、拡大または縮小した同じその映像データを合成して描画できる映像処理デバイス、映像処理ＬＳＩ、表示装置、およびカーナビゲーションシステムを提供することを目的とする。
【課題を解決するための手段】
【００３２】
上述した課題を解決するために、第１の本発明は、
第１の映像データを入力する第１の映像入力端子と、
第２の映像データを入力する第２の映像入力端子と、
前記第１の映像入力端子の出力を信号処理して入力し、拡大または縮小できる第１の拡大圧縮処理部と、
前記第１または第２の映像入力端子の出力を信号処理して入力し、拡大または縮小できる第２の拡大圧縮処理部と、
前記第１の拡大圧縮処理部から出力される映像データと、前記第２の拡大圧縮処理部から出力される映像データとを合成する合成処理部と、
前記第２の拡大圧縮処理部に、前記第１の映像入力端子の出力を信号処理して入力させるか、前記第２の映像入力端子の出力を信号処理して入力させるかを、選択的に切り替える入力切替部とを備え、
第１映像データ合成指令を受けたときには、前記入力切替部は、前記第１の映像入力端子の出力が信号処理されて前記第２の拡大圧縮処理部に入力するように切り替え、前記第１の拡大圧縮処理部は、信号処理されて入力された前記第１の映像データの画像サイズを拡大、縮小または変更せずに出力し、前記第２の拡大圧縮処理部は、信号処理されて入力された前記第１の映像データの画像サイズを拡大、縮小または変更せずに出力し、
前記第１映像データ合成指令を受けていないときには、前記入力切替部は、前記第２の映像入力端子の出力が信号処理されて前記第２の拡大圧縮処理部に入力するように切り替え、前記第１の拡大圧縮処理部は、信号処理されて入力された前記第１の映像データの画像サイズを拡大、縮小または変更せずに出力し、前記第２の拡大圧縮処理部は、信号処理されて入力された前記第２の映像データの画像サイズを拡大、縮小または変更せずに出力する映像処理デバイスである。
【００３３】
また、第２の本発明は、
前記第１映像データ合成指令を受けたときには、
前記第１の拡大圧縮処理部および前記第２の拡大圧縮処理部の一方は、入力された前記第１の映像データに対して、前記第１映像データ合成指令を受けていないときと同じように画像サイズを拡大、縮小または変更せずに出力し、
もう一方は、入力された前記第１の映像データの画像サイズを、前記一方から出力される映像データよりも拡大して出力する、第１の本発明の映像処理デバイスである。
【００３４】
また、第３の本発明は、
前記第１の映像入力端子から出力された前記第１の映像データを調整し、前記第１の拡大圧縮処理部に入力する第１の映像信号処理部と、
前記第２の映像入力端子から出力された前記第２の映像データを調整し、前記第２の拡大圧縮処理部に入力する第２の映像信号処理部と、
前記第１の映像入力端子から出力された前記第１の映像データを調整し、前記第２の拡大圧縮処理部に入力する第３の映像信号処理部とを備え、
前記入力切替部は、前記第１映像データ合成指令を受けていないときには、前記第２の映像データが前記第２の映像信号処理部に入力するように切り替え、前記第１映像データ合成指令を受けたときには、前記第１の映像データが前記第３の映像信号処理部に入力するように切り替える、第１の本発明の映像処理デバイスである。
【００３５】
また、第４の本発明は、
前記第１映像データ合成指令を受けたときには、
前記第１の映像信号処理部は、前記第１の映像データについて、前記第１映像データ合成指令を受けていないときに出力する画像サイズに適した調整をし、
前記第３の映像信号処理部は、前記第１の映像データについて、画像サイズを拡大する場合に適した調整をし、
前記第１の拡大圧縮処理部は、前記第１の映像信号処理部で調整されて入力された前記第１の映像データを、前記第１映像データ合成指令を受けていないときと同じように画像サイズを拡大、縮小または変更せずに出力し、
前記第２の拡大圧縮処理部は、前記第３の映像信号処理部で調整されて入力された前記第１の映像データの画像サイズを、前記第１の拡大圧縮処理部から出力される映像データよりも拡大して出力する、第３の本発明の映像処理デバイスである。
【００３６】
また、第５の本発明は、
前記第１の映像入力端子から出力された前記第１の映像データを調整し、前記第１の拡大圧縮処理部に入力する第１の映像信号処理部と、
前記第１の映像入力端子から出力された前記第１の映像データを調整し、前記第２の拡大圧縮処理部に入力する、または、前記第２の映像入力端子から出力された前記第２の映像データを調整し、前記第２の拡大圧縮処理部に入力するマルチ映像信号処理部とを備え、
前記入力切替部は、前記第１映像データ合成指令を受けていないときには、前記第２の映像データが前記マルチ映像信号処理部に入力するように切り替え、前記第１映像データ合成指令を受けたときには、前記第１の映像データが前記マルチ映像信号処理部に入力するように切り替える、第１の本発明の映像処理デバイスである。
【００３７】
また、第６の本発明は、
前記第１映像データ合成指令を受けたときには、
前記第１の映像信号処理部は、前記第１の映像データについて、前記第１映像データ合成指令を受けていないときに出力する画像サイズに適した調整をし、
前記マルチ映像信号処理部は、前記第１の映像データについて、画像サイズを拡大する場合に適した調整をし、
前記第１の拡大圧縮処理部は、前記第１の映像信号処理部で調整されて入力された前記第１の映像データを、前記第１映像データ合成指令を受けていないときと同じように画像サイズを拡大、縮小または変更せずに出力し、
前記第２の拡大圧縮処理部は、前記マルチ映像信号処理部で調整されて入力された前記第１の映像データの画像サイズを、前記第１の拡大圧縮処理部から出力される映像データよりも拡大して出力する、第５の本発明の映像処理デバイスである。
【００３８】
また、第７の本発明は、
前記第１の映像入力端子の出力を前記第１の映像信号処理部に入力させるか、前記第２の映像入力端子の出力を前記第１の映像信号処理部に入力させるかを、選択的に切り替える第２の入力切替部をさらに備え、
前記第１の映像信号処理部は、前記第２の映像入力端子から出力された前記第２の映像データも調整できる、第５の本発明の映像処理デバイスである。
【００３９】
また、第８の本発明は、
前記第１の映像入力端子から出力された前記第１の映像データを調整し、前記第１の拡大圧縮処理部に入力する第１の映像信号処理部と、
前記第２の映像入力端子から出力された前記第２の映像データを調整し、前記第２の拡大圧縮処理部に入力する第２の映像信号処理部とを備え、
前記入力切替部は、前記第１映像データ合成指令を受けていないときには、前記第２の映像信号処理部の出力を前記第２の拡大圧縮処理部に入力するように切り替え、前記第１映像データ合成指令を受けたときには、前記第１の映像信号処理部の出力を前記第２の拡大圧縮処理部に入力するように切り替える、第１の本発明の映像処理デバイスである。
【００４０】
また、第９の本発明は、
前記第１の映像データは、カーナビゲーション用の映像データであり、
前記第２の映像データは、テレビ用の映像データである、第１〜第８のいずれかの本発明の映像処理デバイスである。
【００４１】
また、第１０の本発明は、
前記第１の映像データは、テレビ用の映像データであり、
前記第２の映像データは、カーナビゲーション用の映像データである、第１〜第８のいずれかの本発明の映像処理デバイスである。
【００４２】
また、第１１の本発明は、
第１〜第１０のいずれかの本発明の映像処理デバイスを備えた映像処理ＬＳＩである。
【００４３】
また、第１２の本発明は、
第１〜第１０のいずれかの本発明の映像処理デバイスと、
前記映像処理デバイスの動作を制御する制御用マイコンと、
前記映像処理デバイスから出力された映像データを表示する表示用パネルとを備えた表示装置である。
【００４４】
また、第１３の本発明は、
前記映像処理デバイスが前記第１映像データ合成指令を受けた場合、前記表示用パネルには、前記第１の映像データが表示された画像の領域内に、前記第１の映像データの一部が拡大されて表示される、第１２の本発明の表示装置である。
【００４５】
また、第１４の本発明は、
前記映像処理デバイスが前記第１映像データ合成指令を受けた場合、前記表示用パネルには、前記第１の映像データの等倍画像と、前記第１の映像データの一部が拡大された画像とが、左右に並んで表示される、第１２の本発明の表示装置である。
【００４６】
また、第１５の本発明は、
リモコンからの信号を受信する受信部を備え、
前記制御用マイコンは、前記受信部で受信した信号に応じて、前記第１映像データ合成指令を前記映像処理デバイスに渡し、前記第１または第２の拡大圧縮処理部に入力された映像データの拡大範囲および拡大率の少なくとも一方を設定する、第１２〜第１４のいずれかの本発明の表示装置である。
【００４７】
また、第１６の本発明は、
リモコンからの信号を受信する受信部を備え、
前記制御用マイコンは、前記受信部で受信した信号に応じて、映像データの一部をマスクする枠表示指令を前記映像処理デバイスに渡し、前記表示用パネルに拡大表示される映像部分の周りに枠を表示させる、第１３の本発明の表示装置である。
【００４８】
また、第１７の本発明は、
第９または第１０の本発明の映像処理デバイスと、前記映像処理デバイスの動作を制御する制御用マイコンと、前記映像処理デバイスから出力された映像データを表示する表示用パネルとを有する表示装置と、
カーナビゲーション用の映像データを生成し出力するカーナビ本体と、
テレビ用の映像データを出力するテレビチューナとを備えたカーナビゲーションシステムである。
【発明の効果】
【００４９】
本発明により、表示装置において、入力される一つの映像データに、拡大または縮小した同じその映像データを合成して描画できる映像処理デバイス、映像処理ＬＳＩ、表示装置、およびカーナビゲーションシステムを提供できる。
【発明を実施するための最良の形態】
【００５０】
以下、本発明の実施の形態について、図面を用いて説明する。
【００５１】
（実施の形態１）
図１に、本発明の実施の形態１のカーナビゲーションシステムの構成図を示す。
【００５２】
本実施の形態１のカーナビゲーションシステムの接続関係は、図１１に示した従来のカーナビゲーションシステムの接続関係と同じである。図１１と同じ構成部分には、同じ符号を用いている。
【００５３】
本実施の形態１の前席用表示装置５０と後席用表示装置５１は、同じ構成の表示装置であり、これらの構成が、図１１に示した従来の前席用表示装置６２および後席用表示装置６３の構成とは異なる。前席用表示装置５０が、コンソールパネルに設置され、後席用表示装置５１が、後席に搭乗する人に見える、前席ヘッドレストの裏側や天井に設置されている。
【００５４】
ナビ本体６０では、ナビゲーション用のメニュー画像や、地図内に自車位置を表示させた画像などのナビ映像データを生成して出力する。また、テレビチューナ６１は、受信したテレビ映像データを出力する。
【００５５】
前席用表示装置５０および後席用表示装置５１には、いずれにも、これらのナビ映像データおよびテレビ映像データの２つの映像データが入力され、リモコン１５を前席用表示装置５０または後席用表示装置５１に向けて個別に操作することによって、前席用表示装置５０および後席用表示装置５１の表示を、個別に変更できるようになっている。
【００５６】
図２に、本実施の形態１の表示装置の構成図を示す。図２に示す表示装置１０は、図１に示した前席用表示装置５０および後席用表示装置５１の構成を示したものである。
【００５７】
本実施の形態１の表示装置１０は、映像処理ＬＳＩ１１、表示パネル１２、制御用マイコン１３および赤外線受光部１４を備えている。
【００５８】
映像処理ＬＳＩ１１は、入力端子１６、１７、および出力端子１８を備え、内部に、ナビ映像信号処理部２０、２３、テレビ映像信号処理部２４、拡大圧縮処理部２２、２５、合成処理部２６、および入力切替部２７を備えている。
【００５９】
映像処理ＬＳＩ１１のナビ映像信号処理部２０は、入力端子１６に入力されたナビ映像データに対して、ＹＵＶ信号をＲＧＢ信号に変換するとともに、ガンマ補正、コントラスト調整、ブライト調整、外光輝度調整などの信号処理をして出力する。
【００６０】
そして、拡大圧縮処理部２２は、制御用マイコン１３からの設定に応じて、ナビ映像信号処理部２０で調整されて入力されるナビ映像データの、画像サイズを拡大または縮小する処理を行い、または行わないで出力する。
【００６１】
映像処理ＬＳＩ１１のナビ映像信号処理部２３は、入力端子１６に入力され、入力切替部２７を介して入力されたナビ映像データに対して、ＹＵＶ信号をＲＧＢ信号に変換するとともに、ガンマ補正、コントラスト調整、ブライト調整、外光輝度調整などの信号処理をして出力する。また、テレビ映像信号処理部２４は、入力端子１７に入力され、入力切替部２７を介して入力されたテレビ映像データに対して、ＮＴＳＣコンポジット信号をＲＧＢ信号に復調、変換するとともに信号処理をして出力する。
【００６２】
そして、拡大圧縮処理部２５は、制御用マイコン１３からの設定に応じて、ナビ映像信号処理部２３で調整されて入力されるナビ映像データ、またはテレビ映像信号処理部２４で復調されて入力されるテレビ映像データの、画像サイズを拡大または縮小する処理を行い、または行わないで出力する。
【００６３】
合成処理部２６は、拡大圧縮処理部２２から入力された映像データと、拡大圧縮処理部２５から入力された映像データについて、制御用マイコン１３からの設定にしたがって、一方の映像データのみ、または２つの映像データを合成した映像データを、出力端子１８から出力する。その合成処理部２６から出力された映像データは、出力端子１８から表示パネル１２に出力される。
【００６４】
入力切替部２７は、制御用マイコン１３からの設定にしたがって、入力端子１６に入力された映像データをナビ映像信号処理部２３に入力させるか、入力端子１７に入力された映像データをテレビ映像信号処理部２４に入力させるか、を選択的に切り替える。
【００６５】
赤外線受光部１４は、リモコン１５から赤外線で送信されてくる信号を受信し、制御用マイコン１３に渡す。そして、制御用マイコン１３は、赤外線受光部１４から入力された信号の内容に応じて、映像処理ＬＳＩ１１の、ナビ映像信号処理部２０、２３、テレビ映像信号処理部２４、拡大圧縮処理部２２、２５、合成処理部２６および入力切替部２７を制御する。
【００６６】
本実施の形態１の映像処理ＬＳＩ１１は、図１２に示した従来の映像処理ＬＳＩ６５に対して、入力端子１６および１７と、ナビ映像信号処理部２３およびテレビ映像信号処理部２４との間に、入力切替部２７を設けたことを特徴としている。
【００６７】
なお、映像処理ＬＳＩ１１が、本発明の映像処理デバイスの一例にあたり、また、本発明の映像処理ＬＳＩの一例にあたる。また、入力端子１６および１７が、それぞれ本発明の第１および第２の映像入力端子の一例にあたる。また、入力端子１６に入力される映像データが、本発明の第１の映像データの一例にあたり、入力端子１７に入力される映像データが、本発明の第２の映像データの一例にあたる。
【００６８】
また、拡大圧縮処理部２２および２５が、それぞれ本発明の第１および第２の拡大圧縮処理部の一例にあたる。また、ナビ映像信号処理部２０が、本発明の第１の映像信号処理部の一例にあたり、テレビ映像信号処理部２４が、本発明の第２の映像信号処理部の一例にあたり、ナビ映像信号処理部２３が、本発明の第３の映像信号処理部の一例にあたる。
【００６９】
次に、図１〜図３を用いて、本実施の形態１の表示装置１０の映像表示動作について説明する。
【００７０】
ここでは、一例として、後席用表示装置５１に対して、リモコン１５により表示切替指示を行った場合の後席用表示装置５１の動作について説明する。
【００７１】
また、ここでは、図１のナビ本体６０から、ナビ映像データとして、自車位置を中心とした比較的広い範囲の地図データが出力されているものとして説明する。また、後席用表示装置５１の映像処理ＬＳＩ１１の入力端子１６にはナビ映像データを、入力端子１７にはテレビ映像データをそれぞれ入力するものとして説明する。
【００７２】
図３（ａ）は、前席用表示装置５０にナビゲーション映像を表示している場合の表示例を示しており、図３（ｂ）および図３（ｃ）は、前席用表示装置５０にナビゲーション映像を表示しているときの、リモコン１５からの表示切替操作による後席用表示装置５１の表示例を示している。
【００７３】
図３（ａ）は、前席用表示装置５０に対して、リモコン１５からナビゲーション映像の表示指示をした場合の表示例を示している。したがって、図３（ａ）の画面表示例に示したものと同じナビ映像データが、後席用表示装置５１の映像処理ＬＳＩ１１の入力端子１６にも入力される。
【００７４】
まず、リモコン１５により、後席用表示装置５１に対して、ナビゲーション映像の表示指示をした場合の動作について説明する。
【００７５】
制御用マイコン１３は、赤外線受光部１４より受け取ったリモコン１５からの信号内容にしたがって、ナビ映像信号処理部２０に、入力されるナビ映像データに対して、通常サイズ表示の映像データに適した調整を行うように設定する。また、制御用マイコン１３は、拡大圧縮処理部２２には、入力される映像データに対して、表示パネル１２全面に表示させるための画像サイズに調整する設定をし、合成処理部２６には、拡大圧縮処理部２２から入力される映像データを、拡大圧縮処理部２５から入力される映像データと合成しないで出力するように設定する。
【００７６】
制御用マイコン１３が、映像処理ＬＳＩ１１をこのように制御することにより、表示パネル１２には、入力端子１６から入力されたナビ映像データが、入力端子１７から入力されたテレビ映像データと合成されずに出力されることになる。
【００７７】
したがって、このときには、後席用表示装置５１の表示パネル１２には、図３（ａ）に示すような、前席用表示装置５０と同様の表示がされる。
【００７８】
次に、リモコン１５により、後席用表示装置５１に対して、テレビの受信映像の表示指示をした場合の動作について説明する。
【００７９】
制御用マイコン１３は、赤外線受光部１４より受け取ったリモコン１５からの信号内容にしたがって、入力端子１７に入力したテレビ映像データがテレビ映像信号処理部２４に入力されるように、入力切替部２７の切り替えを制御する。また、制御用マイコン１３は、拡大圧縮処理部２５には、入力される映像データに対して、表示パネル１２全面に表示させるための画像サイズに調整する設定をし、合成処理部２６には、拡大圧縮処理部２５から入力される映像データを、拡大圧縮処理部２２から入力される映像データと合成しないで出力するように設定する。
【００８０】
制御用マイコン１３が、映像処理ＬＳＩ１１をこのように制御することにより、表示パネル１２には、入力端子１７から入力されたテレビ映像データが、入力端子１６から入力されたナビ映像データと合成されずに出力されることになる。
【００８１】
そして、この場合には、後席用表示装置５１の表示パネル１２全面にテレビ映像が表示される。
【００８２】
次に、リモコン１５により、後席用表示装置５１に対して、ナビゲーション映像の一部にテレビ映像を含む合成画像の表示指示をした場合の動作について説明する。
【００８３】
この場合には、リモコン１５によって、表示切り替えの指示をするとともに、ナビゲーション映像内に表示させるテレビ映像の位置および大きさも指示する。
【００８４】
制御用マイコン１３は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、表示パネル１２全面に表示させるための画像サイズに調整する設定をする。
【００８５】
また、制御用マイコン１３は、入力端子１７に入力したテレビ映像データがテレビ映像信号処理部２４に入力されるように、入力切替部２７の切り替えを制御し、拡大圧縮処理部２５には、入力される映像データに対して、リモコン１５によって指定された縮小率で画像サイズの縮小を行うように設定する。
【００８６】
また、制御用マイコン１３は、合成処理部２６に対して、拡大圧縮処理部２２から入力される映像データに、拡大圧縮処理部２５から入力される映像データをリモコン１５によって指定された位置に合成して出力するように設定する。
【００８７】
制御用マイコン１３が、映像処理ＬＳＩ１１をこのように制御することにより、表示パネル１２には、図３（ｂ）に示すように、ナビゲーション映像が全面に表示され、その一部の領域にテレビ映像が合成されて出力される。
【００８８】
次に、リモコン１５により、後席用表示装置５１に対して、ナビゲーション映像に、そのナビゲーション映像の一部を拡大した映像を合成させた画像の表示指示をした場合の動作について説明する。
【００８９】
この場合には、リモコン１５によって、表示切り替えの指示をするとともに、ナビゲーション映像内の拡大表示させる部分、およびその拡大映像を表示させる位置および大きさも指示する。
【００９０】
なお、このときにリモコン１５から発信された表示切り替え指示を示す信号が、本発明の第１映像データ合成指令の一例にあたる。
【００９１】
制御用マイコン１３は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、表示パネル１２全面に表示させるための画像サイズに調整する設定をする。つまりこのとき、制御用マイコン１３は、拡大圧縮処理部２２に対しては、図３（ａ）のようなナビゲーション映像のみを表示させる場合、すなわち本発明の第１映像データ合成指令を受けていない場合と同様の設定を行う。
【００９２】
また、制御用マイコン１３は、入力端子１６に入力したナビ映像データがナビ映像信号処理部２３に入力されるように、入力切替部２７の切り替えを制御し、ナビ映像信号処理部２３には、入力されるナビ映像データに対して、拡大サイズ表示の映像データに適した調整を行うように設定する。例えば、拡大率に対応させて、通常サイズ表示の場合とは異なるその拡大率に適したコントラスト値やブライト値などを予め決めておき、リモコン１５によって指定された拡大率に応じて、それらの予め決められた値を設定するようにする。
【００９３】
また、制御用マイコン１３は、拡大圧縮処理部２５には、入力される映像データのリモコン１５によって指定された領域の映像データに対して、リモコン１５によって指定された拡大率で画像サイズの拡大を行うように設定する。また、制御用マイコン１３は、合成処理部２６に対して、拡大圧縮処理部２２から入力される映像データに、拡大圧縮処理部２５から入力される映像データをリモコン１５によって指定された位置に合成して出力するように設定するとともに、２つの映像データの境界部分のデータをマスクするように設定する。
【００９４】
制御用マイコン１３が、映像処理ＬＳＩ１１をこのように制御することにより、表示パネル１２には、図３（ｃ）に示すように、ナビゲーション映像が全面に表示され、その一部の領域に、そのナビゲーション映像の一部を拡大した映像が合成されて出力される。また、拡大した映像の周りの部分のデータはマスクされているので、拡大映像部分の枠として表示される。
【００９５】
なお、図３（ｃ）では、一例として、ナビゲーション画像の自車位置を中心とした近い範囲の映像データを拡大して表示パネル１２の右上部分に表示させている。
【００９６】
なお、ここでは、拡大圧縮処理部２２に通常サイズの映像データを出力させ、拡大圧縮処理部２５にその一部映像を拡大した映像データを出力させて合成することとしたが、これとは逆に、拡大圧縮処理部２５に通常サイズの映像データを出力させ、拡大圧縮処理部２２にその一部映像を拡大した映像データを出力させて合成させるようにしてもよい。
【００９７】
以上では、表示パネル１２が１６：９のパネルの場合について説明したが、次に、表示パネル１２に３２：９のワイドパネルを用いた場合の動作について、図１、図２および図４を用いて説明する。
【００９８】
図４（ａ）および図４（ｂ）は、後席用表示装置５１に３２：９のワイドパネルを用いた場合で、前席用表示装置５０に図３（ａ）のようなナビゲーション映像を表示しているときの、リモコン１５からの表示切替指示による後席用表示装置５１の表示例を示している。
【００９９】
まず、リモコン１５により、後席用表示装置５１に対して、ナビゲーション映像とテレビ映像を画面の左右に並べて表示させる指示をした場合の動作について説明する。
【０１００】
制御用マイコン１３は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、表示パネル１２の左半面に表示させるための画像サイズに調整する設定をする。
【０１０１】
また、制御用マイコン１３は、入力端子１７に入力したテレビ映像データがテレビ映像信号処理部２４に入力されるように、入力切替部２７の切り替えを制御し、拡大圧縮処理部２５には、入力される映像データに対して、表示パネル１２の右半面に表示させるための画像サイズに調整する設定をする。
【０１０２】
また、制御用マイコン１３は、合成処理部２６に、拡大圧縮処理部２２から入力される映像データと、拡大圧縮処理部２５から入力される映像データを、左右に並べるように合成して出力するように設定する。
【０１０３】
制御用マイコン１３が、映像処理ＬＳＩ１１をこのように制御することにより、表示パネル１２には、図４（ａ）に示すように、ナビゲーション映像が左側に表示され、テレビ映像が右側に表示されるように合成されて出力される。
【０１０４】
次に、リモコン１５により、後席用表示装置５１に対して、ナビゲーション映像と、そのナビゲーション映像の一部を拡大した映像を左右に並べて表示させる指示をした場合の動作について説明する。
【０１０５】
この場合には、リモコン１５によって、表示切り替えの指示をするとともに、ナビゲーション映像内の拡大表示させる部分も指示する。
【０１０６】
なお、このときにリモコン１５から発信された表示切り替え指示を示す信号が、本発明の第１映像データ合成指令の一例にあたる。
【０１０７】
制御用マイコン１３は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、拡大して合成するデータの範囲を示す点線のデータを追加する指示をするとともに、表示パネル１２の左半面に表示させるための画像サイズに調整する設定をする。つまりこのとき、制御用マイコン１３は、拡大圧縮処理部２２に対する画像サイズの調整については、図４（ａ）のようなナビゲーション映像とテレビ映像を左右に並べて表示させる場合、すなわち本発明の第１映像データ合成指令を受けていない場合と同様の設定を行う。
【０１０８】
また、制御用マイコン１３は、入力端子１６に入力したナビ映像データがナビ映像信号処理部２３に入力されるように、入力切替部２７の切り替えを制御し、ナビ映像信号処理部２３に、入力されるナビ映像データに対して、拡大サイズ表示の映像データに適した調整を行うように設定する。
【０１０９】
また、制御用マイコン１３は、拡大圧縮処理部２５には、入力される映像データのリモコン１５によって指定された領域の映像データに対して、表示パネル１２の右半面分の画面サイズにする拡大処理を行うように設定する。また、合成処理部２６に、拡大圧縮処理部２２から入力される映像データと、拡大圧縮処理部２５から入力される映像データを、左右に並べるように合成して出力するように設定する。
【０１１０】
制御用マイコン１３が、映像処理ＬＳＩ１１をこのように制御することにより、表示パネル１２には、図４（ｂ）に示すように、ナビゲーション映像が左側に表示され、そのナビゲーション映像の一部を拡大した映像が合成されて右側に表示される。また、図４（ｂ）に示すように、左側に表示したナビゲーション映像には、右側に表示した拡大画像の対応する範囲がわかるように、その範囲が点線で表示される。
【０１１１】
このように、３２：９のワイドパネルを用いた場合にも、ナビゲーション映像に、そのナビゲーション映像の一部を拡大して合成した画像を表示させることができる。
【０１１２】
次に、図１に示した本実施の形態１のカーナビゲーションシステムにおいて、後席用表示装置５１の映像処理ＬＳＩ１１の入力端子１６にテレビ映像データを、入力端子１７にはナビ映像データをそれぞれ入力した場合の、後席用表示装置５１の動作について、図１、図５および図６を用いて説明する。
【０１１３】
図５に、テレビ映像データを入力端子１６に、ナビ映像データを入力端子１７にそれぞれ入力した場合の、後席用表示装置５１の構成図を示す。
【０１１４】
入力端子１６にナビ映像データが入力された場合には、図２に示すように、その映像データはナビ映像信号処理部２０で調整されるが、入力端子１６にテレビ映像データが入力された場合には、図５に示すように、その映像データはテレビ映像信号処理部２１で調整される。テレビ映像信号処理部２１は、入力端子１６に入力されたテレビ映像データに対して、ＮＴＳＣコンポジット信号をＲＧＢ信号に復調、変換するとともに信号処理をして出力する。
【０１１５】
同様に、入力端子１７にナビ映像データが入力された場合には、図５に示すように、その映像データはナビ映像信号処理部２３で調整される。
【０１１６】
入力切替部２７は、この場合には、制御用マイコン１３からの設定にしたがって、入力端子１６に入力された映像データをテレビ映像信号処理部２４に入力させるか、入力端子１７に入力された映像データをナビ映像信号処理部２３に入力させるか、を選択的に切り替える。
【０１１７】
リモコン１５により、後席用表示装置５１に対して、ナビゲーション映像の表示指示をした場合の動作、およびテレビの受信映像の表示指示をした場合の動作は、図２および図３を用いて説明した、入力端子１６にナビ映像データを入力し入力端子１７にテレビ映像データを入力した場合の動作と同様である。
【０１１８】
図６（ａ）および図６（ｂ）に、前席用表示装置５０に図３（ａ）のようなナビゲーション映像を表示しているときの、リモコン１５からの表示切替操作による後席用表示装置５１の表示例を示す。
【０１１９】
リモコン１５により、後席用表示装置５１に対して、ナビゲーション映像の一部にテレビ映像を含む合成画像の表示指示をした場合の動作について説明する。
【０１２０】
制御用マイコン１３は、赤外線受光部１４より受け取ったリモコン１５からの信号内容にしたがって、拡大圧縮処理部２２に、テレビ映像信号処理部２１で復調されて入力される映像データに対して、リモコン１５によって指定された縮小率で画像サイズの縮小を行うように設定する。
【０１２１】
また、制御用マイコン１３は、入力端子１７に入力したナビ映像データがナビ映像信号処理部２３に入力されるように、入力切替部２７の切り替えを制御し、ナビ映像信号処理部２３には、入力されるナビ映像データに対して、通常サイズ表示の映像データに適した調整を行うように設定し、拡大圧縮処理部２５には、入力される映像データに対して、表示パネル１２全面に表示させるための画像サイズに調整する設定をする。
【０１２２】
また、制御用マイコン１３は、合成処理部２６に対して、拡大圧縮処理部２５から入力される映像データに、拡大圧縮処理部２２から入力される映像データをリモコン１５によって指定された位置に合成して出力するように設定する。
【０１２３】
制御用マイコン１３が、映像処理ＬＳＩ１１をこのように制御することにより、表示パネル１２には、図６（ａ）に示すように、ナビゲーション映像が全面に表示され、その一部の領域にテレビ映像が合成されて出力される。
【０１２４】
次に、リモコン１５により、後席用表示装置５１に対して、テレビ映像に、そのテレビ映像の一部を拡大した映像を合成させた画像の表示指示をした場合の動作について説明する。
【０１２５】
この場合には、リモコン１５によって、表示切り替えの指示をするとともに、テレビ映像内の拡大表示させる部分、およびその拡大映像を表示させる位置および大きさも指示する。
【０１２６】
なお、このときにリモコン１５から発信された表示切り替え指示を示す信号が、本発明の第１映像データ合成指令の一例にあたる。
【０１２７】
制御用マイコン１３は、赤外線受光部１４より受け取ったリモコン１５からの信号内容にしたがって、拡大圧縮処理部２２に、入力される映像データに対して、拡大して合成するデータの範囲を示す点線のデータを追加する指示をするとともに、表示パネル１２全面に表示させるための画像サイズに調整する設定をする。
【０１２８】
また、制御用マイコン１３は、入力端子１６に入力したテレビ映像データがテレビ映像信号処理部２４に入力されるように、入力切替部２７の切り替えを制御し、拡大圧縮処理部２５には、入力される映像データのリモコン１５によって指定された領域の映像データに対して、リモコン１５によって指定された拡大率で画像サイズの拡大を行うように設定する。また、制御用マイコン１３は、合成処理部２６に対して、拡大圧縮処理部２２から入力される映像データに、拡大圧縮処理部２５から入力される映像データをリモコン１５によって指定された位置に合成して出力するように設定する。
【０１２９】
制御用マイコン１３が、映像処理ＬＳＩ１１をこのように制御することにより、表示パネル１２には、図６（ｂ）に示すように、テレビ映像が全面に表示され、その一部の領域に、そのテレビ映像の一部を拡大した映像が合成されて出力される。また、図６（ｂ）に示すように、通常サイズで表示されているテレビ映像表示内には、拡大表示している映像部分に対応する範囲がわかるように、その範囲が点線で表示される。
【０１３０】
なお、ここでは、拡大圧縮処理部２２に通常サイズの映像データを出力させ、拡大圧縮処理部２５にその一部映像を拡大した映像データを出力させて合成することとしたが、これとは逆に、拡大圧縮処理部２５に通常サイズの映像データを出力させ、拡大圧縮処理部２２にその一部映像を拡大した映像データを出力させて合成させるようにしてもよい。
【０１３１】
以上に説明したように、図２および図５に示した本実施の形態１の表示装置１０では、ナビ映像信号処理部２３およびテレビ映像信号処理部２４に、入力端子１６に入力された映像データを入力させるか、入力端子１７に入力された映像データを入力させるかを、入力切替部２７によって選択的に切り替えるようにしたことにより、入力端子１６および１７にそれぞれナビ映像データおよびテレビ映像データを入力した場合には、図３（ｃ）や図４（ｂ）のようなナビゲーション映像とそのナビゲーション映像の一部拡大映像との合成表示を実現でき、入力端子１６および１７にそれぞれテレビ映像データおよびナビ映像データを入力した場合には、図６（ｂ）のようなテレビ映像内にそのテレビ映像の一部拡大映像の合成表示を実現できる。
【０１３２】
また、ナビ映像信号処理部２０およびテレビ映像信号処理部２１についても、入力端子１６に入力された映像データを入力させるか、入力端子１７に入力された映像データを入力させるかを、入力切替部２７によって選択的に切り替えるようにすれば、入力端子１６および１７に入力する映像データの種類に関係なく、制御用マイコン１３の制御によって、図３（ｃ）の画面表示も図６（ｂ）の画面表示も実現することができる。
【０１３３】
次に、図７および図８に、本実施の形態１の他の構成の表示装置の構成図を示す。それぞれ、図２に示した表示装置１０と同じ構成部分には同じ符号を用いている。
【０１３４】
図１に示したカーナビゲーションシステムの構成において、前席用表示装置５０および後席用表示装置５１として、図７に示した表示装置３０または図８に示した表示装置３５を接続して用いる。
【０１３５】
まず、図７に示した表示装置３０について説明する。
【０１３６】
表示装置３０に搭載されている映像処理ＬＳＩ３１は、表示装置１０に搭載されている映像処理ＬＳＩ１１が有しているナビ映像信号処理部２３およびテレビ映像信号処理部２４の代わりにナビ／テレビ映像信号処理部３３を有しており、入力切替部２７の代わりに入力切替部３４を有している。
【０１３７】
ナビ／テレビ映像信号処理部３３は、ＹＵＶ信号またはＮＴＳＣコンポジット信号で入力される入力信号を変換する機能と、これらの入力信号を調整するための共用設計された信号処理回路を備えている。
【０１３８】
したがって、ナビ／テレビ映像信号処理部３３は、ナビ映像データとテレビ映像データを同時に入力させて処理することはできないが、制御用マイコン３２からの制御により、ＹＵＶ信号で入力されるナビ映像データをＲＧＢ信号に変換して調整でき、また、ＮＴＳＣ信号で入力されるテレビ映像データもＲＧＢ信号に復調、変換し調整できるようになっている。
【０１３９】
入力切替部３４は、制御用マイコン３２からの設定にしたがって、ナビ／テレビ映像信号処理部３３に、入力端子１６に入力された映像データを入力させるか、入力端子１７に入力された映像データを入力させるか、を選択的に切り替える。
【０１４０】
なお、映像処理ＬＳＩ３１が、本発明の映像処理デバイスの一例にあたり、また、本発明の映像処理ＬＳＩの一例にあたる。また、ナビ映像信号処理部２０が、本発明の第１の映像信号処理部の一例にあたり、ナビ／テレビ映像信号処理部３３が、本発明のマルチ映像信号処理部の一例にあたる。
【０１４１】
図１、図３および図７を用いて、本実施の形態１の表示装置３０の映像表示動作について説明する。ここでは、図２の表示装置１０の場合と異なる動作について説明する。
【０１４２】
ここでは、一例として、後席用表示装置５１に対して、リモコン１５により表示切替指示を行った場合の後席用表示装置５１の動作について説明する。また、図２で説明した場合と同様に、後席用表示装置５１の映像処理ＬＳＩ３１の入力端子１６にはナビ映像データを、入力端子１７にはテレビ映像データをそれぞれ入力するものとして説明する。
【０１４３】
リモコン１５により、後席用表示装置５１に対して、ナビゲーション映像の表示指示をした場合の動作は、前述した図２の表示装置１０の動作と同じなので、説明を省略する。
【０１４４】
リモコン１５により、後席用表示装置５１に対して、テレビの受信映像の表示指示をした場合の動作について説明する。
【０１４５】
制御用マイコン３２は、赤外線受光部１４より受け取ったリモコン１５からの信号内容にしたがって、入力端子１７に入力したテレビ映像データがナビ／テレビ映像信号処理部３３に入力されるように、入力切替部３４の切り替えを制御する。また、制御用マイコン３２は、入力される信号をＮＴＳＣ信号として復調、変換および調整処理をするように、ナビ／テレビ映像信号処理部３３に設定する。
【０１４６】
また、制御用マイコン３２は、拡大圧縮処理部２５には、入力される映像データに対して、表示パネル１２全面に表示させるための画像サイズに調整する設定をし、合成処理部２６には、拡大圧縮処理部２５から入力される映像データを、拡大圧縮処理部２２から入力される映像データと合成しないで出力するように設定する。
【０１４７】
制御用マイコン３２が、映像処理ＬＳＩ３１をこのように制御することにより、表示パネル１２には、入力端子１７から入力されたテレビ映像データが、入力端子１６から入力されたナビ映像データと合成されずに出力されることになる。
【０１４８】
次に、リモコン１５により、後席用表示装置５１に対して、ナビゲーション映像の一部にテレビ映像を含む合成画像の表示指示をした場合の動作について説明する。
【０１４９】
この場合には、リモコン１５によって、表示切り替えの指示をするとともに、ナビゲーション映像内に表示させるテレビ映像の位置および大きさも指示する。
【０１５０】
制御用マイコン３２は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、表示パネル１２全面に表示させるための画像サイズに調整する設定をする。
【０１５１】
また、制御用マイコン３２は、入力端子１７に入力したテレビ映像データがナビ／テレビ映像信号処理部３３に入力されるように入力切替部３４の切り替えを制御し、ナビ／テレビ映像信号処理部３３に対して、入力される信号をＮＴＳＣ信号として復調、変換および調整処理をするように設定する。そして、拡大圧縮処理部２５には、入力される映像データに対して、リモコン１５によって指定された縮小率で画像サイズの縮小を行うように設定する。
【０１５２】
また、制御用マイコン３２は、合成処理部２６に対して、拡大圧縮処理部２２から入力される映像データに、拡大圧縮処理部２５から入力される映像データをリモコン１５によって指定された位置に合成して出力するように設定する。
【０１５３】
制御用マイコン３２が、映像処理ＬＳＩ３１をこのように制御することにより、表示パネル１２には、図３（ｂ）に示すように、ナビゲーション映像が全面に表示され、その一部の領域にテレビ映像が合成されて出力される。
【０１５４】
次に、リモコン１５により、後席用表示装置５１に対して、ナビゲーション映像に、そのナビゲーション映像の一部を拡大した映像を合成させた画像の表示指示をした場合の動作について説明する。
【０１５５】
この場合には、リモコン１５によって、表示切り替えの指示をするとともに、ナビゲーション映像内の拡大表示させる部分、およびその拡大映像を表示させる位置および大きさも指示する。
【０１５６】
なお、このときにリモコン１５から発信された表示切り替え指示を示す信号が、本発明の第１映像データ合成指令の一例にあたる。
【０１５７】
制御用マイコン３２は、赤外線受光部１４より受け取ったリモコン１５からの信号内容にしたがって、ナビ映像信号処理部２０に、入力されるナビ映像データに対して、通常サイズ表示の映像データに適した調整を行うように設定し、拡大圧縮処理部２２には、入力される映像データに対して、表示パネル１２全面に表示させるための画像サイズに調整する設定をする。つまりこのとき、制御用マイコン３２は、拡大圧縮処理部２２に対しては、図３（ｂ）のようなナビゲーション映像の一部にテレビ映像を合成表示させる場合、すなわち本発明の第１映像データ合成指令を受けていない場合と同様の設定を行う。
【０１５８】
また、制御用マイコン３２は、入力端子１６に入力したナビ映像データがナビ／テレビ映像信号処理部３３に入力されるように、入力切替部３４の切り替えを制御する。そして、制御用マイコン３２は、ナビ／テレビ映像信号処理部３３に対して、入力される信号をＹＵＶ信号として変換処理をするように設定するとともに、拡大サイズ表示の映像データに適した調整を行うように設定する。
【０１５９】
また、制御用マイコン３２は、拡大圧縮処理部２５には、入力される映像データのリモコン１５によって指定された領域の映像データに対して、リモコン１５によって指定された拡大率で画像サイズの拡大を行うように設定する。また、制御用マイコン３２は、合成処理部２６に対して、拡大圧縮処理部２２から入力される映像データに、拡大圧縮処理部２５から入力される映像データをリモコン１５によって指定された位置に合成して出力するように設定するとともに、２つの映像データの境界部分のデータをマスクするように設定する。
【０１６０】
制御用マイコン３２が、映像処理ＬＳＩ３１をこのように制御することにより、表示パネル１２には、図３（ｃ）に示すように、ナビゲーション映像が全面に表示され、その一部の領域に、そのナビゲーション映像の一部を拡大した映像が合成されて出力される。
【０１６１】
なお、図７に示した本実施の形態１の表示装置３０についての上記説明では、１６：９のパネルを用いた場合に、図３（ｃ）のように、通常のナビゲーション画面内の一部領域に拡大映像を表示させるものを一例として説明したが、図４（ｂ）に示した３２：９のパネルの表示例のように、通常のナビゲーション映像とその一部拡大映像を左右に並べて表示させることもできる。
【０１６２】
次に、図８に示した表示装置３５について説明する。
【０１６３】
表示装置３５に搭載されている映像処理ＬＳＩ３６は、図７に示した表示装置３０に搭載されている映像処理ＬＳＩ３１が有しているナビ映像信号処理部２０の代わりにナビ／テレビ映像信号処理部３８を有しており、さらに入力切替部３９を有している。
【０１６４】
ナビ／テレビ映像信号処理部３８は、図７に示した映像処理ＬＳＩ３１のナビ／テレビ映像信号処理部３３と同様の回路であり、ＹＵＶ信号またはＮＴＳＣコンポジット信号で入力される入力信号を変換する機能と、これらの入力信号を調整するための共用設計された信号処理回路を備えている。
【０１６５】
入力切替部３９は、制御用マイコン３７からの設定にしたがって、ナビ／テレビ映像信号処理部３８に、入力端子１６に入力された映像データを入力させるか、入力端子１７に入力された映像データを入力させるか、を選択的に切り替える。
【０１６６】
図８に示した表示装置３５による表示動作は、表示装置１０や表示装置３０などと同様であるが、ＹＵＶ信号およびＮＴＳＣ信号を調整できるナビ／テレビ映像信号処理部３３、３８を複数有し、それらのナビ／テレビ映像信号処理部３３、３８毎に、複数の入力端子１６、１７から入力される信号を切り替えられる構成なので、図７に示した表示装置３０の場合よりもさらに多彩な制御が可能である。例えば、図３（ｃ）や図４（ｂ）のようなナビゲーション映像とそのナビゲーション映像の一部拡大映像との合成表示も、図６（ｂ）のようなテレビ映像内にそのテレビ映像の一部拡大映像の合成表示も、各入力端子１６、１７に入力する信号を入れ替えるなどしなくても、制御用マイコン３７の制御内容の変更だけで実現できる。
【０１６７】
ＹＵＶ信号やＮＴＳＣ信号といった入力信号の種類毎に、それらの入力信号用の調整回路を設けると回路規模が大きくなってしまうが、図７および図８に示した映像処理ＬＳＩ３１や映像処理ＬＳＩ３６のナビ／テレビ映像信号処理部３３、３８のように、複数種類の入力信号を変換する入力変換機能を持たせて、複数種類の入力信号に対する信号調整回路を共用化することで、小さな回路規模で複数種類の入力信号に対応できる。
【０１６８】
現在、一般的に用いられている２映像合成描画可能な映像処理ＬＳＩも、小さな回路規模で複数の入力信号に対応するために、信号調整回路を共用化した構成のものが多い。
【０１６９】
つまり、現在一般的に用いられている２映像合成描画可能な映像処理ＬＳＩは、図８の映像処理ＬＳＩ３６から入力切替部３４および３９を取り除いたような構成のものが多い。したがって、そのような従来の映像処理ＬＳＩに対して入力切替部３４および３９を追加するのみで、本実施の形態１の映像処理ＬＳＩ３６のような構成の映像処理ＬＳＩを作製できるので、従来構成の映像処理ＬＳＩから容易に本発明の映像処理ＬＳＩを作製できる。
【０１７０】
なお、ここでは、映像処理ＬＳＩ３１および３６のナビ／テレビ映像信号処理部３３、３８は、入力信号としてＮＴＳＣコンポジット信号およびＹＵＶ信号を入力できるものを例として説明したが、これら以外の種類の入力信号に対応できるようにしてもよく、例えばＲＧＢ信号も入力できるようにし、ＲＧＢ入力信号についても共用化した信号調整回路で調整できるようにしてもよい。
【０１７１】
また、上記した図７および図８に示した表示装置３０、３５の説明では、制御用マイコン３２、３７が、入力切替部３４、３９を切り替えるとともに、ナビ／テレビ映像信号処理部３３、３８の入力信号の設定も行うこととして説明したが、ナビ／テレビ映像信号処理部３３、３８に入力信号の種類を自動検出する機能を持たせて、ナビ／テレビ映像信号処理部３３、３８が、入力される信号の種類を自動的に判別して処理できるようにしてもよい。
【０１７２】
なお、図２、図５、図７および図８に示した本実施の形態１の映像処理ＬＳＩでは、拡大圧縮処理部２２および拡大圧縮処理部２５には、同じ入力端子に入力された映像データを処理する場合でも、異なる信号処理部で調整された映像データがそれぞれに入力される。例えば、拡大圧縮処理部２２および拡大圧縮処理部２５が、入力端子１６に入力した同じナビ映像データを処理する図２の場合、拡大圧縮処理部２２には、ナビ映像信号処理部２０で通常サイズの映像に適した調整がされた映像データが入力され、他方、拡大圧縮処理部２５には、ナビ映像信号処理部２３で設定されている拡大サイズの映像に適した調整がされた映像データが入力される。つまり、合成処理部２６で合成される入力映像データ毎に、それらに相応しい調整を行わせて入力することができるので、ユーザにとってより見やすい合成映像を実現することができる。
【０１７３】
（実施の形態２）
図９に、本発明の実施の形態２の表示装置の構成図を示す。図２に示した実施の形態１の表示装置１０と同じ構成部分には、同じ符号を用いている。
【０１７４】
本実施の形態２のカーナビゲーションシステムの接続関係は、実施の形態１と同様であり、図１に示す通りである。本実施の形態２のカーナビゲーションシステムの前席用表示装置５０および後席用表示装置５１として、図９に示した表示装置４０を用いる。
【０１７５】
本実施の形態２の表示装置４０は、映像処理ＬＳＩ４１、表示パネル１２、制御用マイコン４２および赤外線受光部１４を備えている。
【０１７６】
映像処理ＬＳＩ４１は、入力端子１６、１７、および出力端子１８を備え、内部に、ナビ映像信号処理部２０、テレビ映像信号処理部２４、拡大圧縮処理部２２、２５、合成処理部２６、および入力切替部４３を備えている。
【０１７７】
映像処理ＬＳＩ４１の、入力切替部４３以外の構成部分の機能は、図２に示した映像処理ＬＳＩ１１の対応する構成部分の機能と同じであり、これらの機能の説明は省略する。
【０１７８】
入力切替部４３は、制御用マイコン４２からの設定にしたがって、拡大圧縮処理部２５に、ナビ映像信号処理部２０で調整されＲＧＢ信号に変換されたナビ映像データを入力させるか、テレビ映像信号処理部２４でＲＧＢ信号に復調、変換されたテレビ映像データを入力させるかを、選択的に切り替える。
【０１７９】
赤外線受光部１４は、リモコン１５から赤外線で送信されてくる信号を受信し、制御用マイコン４２に渡す。そして、制御用マイコン４２は、赤外線受光部１４から入力された信号の内容に応じて、映像処理ＬＳＩ４１の、拡大圧縮処理部２２、２５、合成処理部２６および入力切替部４３を制御する。
【０１８０】
本実施の形態２の映像処理ＬＳＩ４１は、図１２に示した従来の映像処理ＬＳＩ６５に対して、ナビ映像信号処理部２０およびテレビ映像信号処理部２４と、拡大圧縮処理部２５との間に、入力切替部４３を設けたことを特徴としている。
【０１８１】
なお、映像処理ＬＳＩ４１が、本発明の映像処理デバイスの一例にあたり、また、本発明の映像処理ＬＳＩの一例にあたる。また、入力端子１６および１７が、それぞれ本発明の第１および第２の映像入力端子の一例にあたる。また、入力端子１６に入力される映像データが、本発明の第１の映像データの一例にあたり、入力端子１７に入力される映像データが、本発明の第２の映像データの一例にあたる。
【０１８２】
また、拡大圧縮処理部２２および２５が、それぞれ本発明の第１および第２の拡大圧縮処理部の一例にあたる。また、ナビ映像信号処理部２０が、本発明の第１の映像信号処理部の一例にあたり、テレビ映像信号処理部２４が、本発明の第２の映像信号処理部の一例にあたる。
【０１８３】
次に、図１、図３および図９を用いて、本実施の形態２の表示装置４０の映像表示動作について説明する。
【０１８４】
ここでは、一例として、後席用表示装置５１に対して、リモコン１５により表示切替指示を行った場合の後席用表示装置５１の動作について説明する。
【０１８５】
また、ここでは、図１のナビ本体６０から、ナビ映像データとして、自車位置を中心とした比較的広い範囲の地図データが出力されているものとして説明する。また、後席用表示装置５１の映像処理ＬＳＩ４１の入力端子１６にはナビ映像データを、入力端子１７にはテレビ映像データをそれぞれ入力するものとして説明する。
【０１８６】
図３（ａ）は、前席用表示装置５０に対して、リモコン１５からナビゲーション映像の表示指示をした場合の表示例を示している。したがって、図３（ａ）の画面表示例に示したものと同じナビ映像データが、後席用表示装置５１の映像処理ＬＳＩ４１の入力端子１６にも入力される。
【０１８７】
まず、リモコン１５により、後席用表示装置５１に対して、ナビゲーション映像の表示指示をした場合の動作について説明する。
【０１８８】
制御用マイコン４２は、赤外線受光部１４より受け取ったリモコン１５からの信号内容にしたがって、拡大圧縮処理部２２には、入力される映像データに対して、表示パネル１２全面に表示させるための画像サイズに調整する設定をし、合成処理部２６には、拡大圧縮処理部２２から入力される映像データを、拡大圧縮処理部２５から入力される映像データと合成しないで出力するように設定する。
【０１８９】
制御用マイコン４２が、映像処理ＬＳＩ４１をこのように制御することにより、表示パネル１２には、入力端子１６から入力されたナビ映像データが、入力端子１７から入力されたテレビ映像データと合成されずに出力されることになる。
【０１９０】
したがって、このときには、後席用表示装置５１の表示パネル１２には、図３（ａ）に示すような、前席用表示装置５０と同様の表示がされる。
【０１９１】
次に、リモコン１５により、後席用表示装置５１に対して、テレビの受信映像の表示指示をした場合の動作について説明する。
【０１９２】
制御用マイコン４２は、赤外線受光部１４より受け取ったリモコン１５からの信号内容にしたがって、テレビ映像信号処理部２４で復調されたテレビ映像データが拡大圧縮処理部２５に入力されるように、入力切替部４３の切り替えを制御する。また、制御用マイコン４２は、拡大圧縮処理部２５には、入力される映像データに対して、表示パネル１２全面に表示させるための画像サイズに調整する設定をし、合成処理部２６には、拡大圧縮処理部２５から入力される映像データを、拡大圧縮処理部２２から入力される映像データと合成しないで出力するように設定する。
【０１９３】
制御用マイコン４２が、映像処理ＬＳＩ４１をこのように制御することにより、表示パネル１２には、入力端子１７から入力されたテレビ映像データが、入力端子１６から入力されたナビ映像データと合成されずに出力されることになる。
【０１９４】
そして、この場合には、後席用表示装置５１の表示パネル１２全面にテレビ映像が表示される。
【０１９５】
次に、リモコン１５により、後席用表示装置５１に対して、ナビゲーション映像の一部にテレビ映像を含む合成画像の表示指示をした場合の動作について説明する。
【０１９６】
この場合には、リモコン１５によって、表示切り替えの指示をするとともに、ナビゲーション映像内に表示させるテレビ映像の位置および大きさも指示する。
【０１９７】
制御用マイコン４２は、赤外線受光部１４より受け取ったリモコン１５からの信号内容にしたがって、拡大圧縮処理部２２に、入力される映像データに対して、表示パネル１２全面に表示させるための画像サイズに調整する設定をする。
【０１９８】
また、制御用マイコン４２は、テレビ映像信号処理部２４で復調されたテレビ映像データが拡大圧縮処理部２５に入力されるように、入力切替部４３の切り替えを制御し、拡大圧縮処理部２５には、入力される映像データに対して、リモコン１５によって指定された縮小率で画像サイズの縮小を行うように設定する。
【０１９９】
また、制御用マイコン４２は、合成処理部２６に対して、拡大圧縮処理部２２から入力される映像データに、拡大圧縮処理部２５から入力される映像データをリモコン１５によって指定された位置に合成して出力するように設定する。
【０２００】
制御用マイコン４２が、映像処理ＬＳＩ４１をこのように制御することにより、表示パネル１２には、図３（ｂ）に示すように、ナビゲーション映像が全面に表示され、その一部の領域にテレビ映像が合成されて出力される。
【０２０１】
次に、リモコン１５により、後席用表示装置５１に対して、ナビゲーション映像に、そのナビゲーション映像の一部を拡大した映像を合成させた画像の表示指示をした場合の動作について説明する。
【０２０２】
この場合には、リモコン１５によって、表示切り替えの指示をするとともに、ナビゲーション映像内の拡大表示させる部分、およびその拡大映像を表示させる位置および大きさも指示する。
【０２０３】
なお、このときにリモコン１５から発信された表示切り替え指示を示す信号が、本発明の第１映像データ合成指令の一例にあたる。
【０２０４】
制御用マイコン４２は、赤外線受光部１４より受け取ったリモコン１５からの信号内容にしたがって、拡大圧縮処理部２２に、入力される映像データに対して、表示パネル１２全面に表示させるための画像サイズに調整する設定をする。
【０２０５】
また、制御用マイコン４２は、ナビ映像信号処理部２０で調整されたナビ映像データが拡大圧縮処理部２５に入力されるように、入力切替部４３の切り替えを制御する。
【０２０６】
また、制御用マイコン４２は、拡大圧縮処理部２５には、入力される映像データのリモコン１５によって指定された領域の映像データに対して、リモコン１５によって指定された拡大率で画像サイズの拡大を行うように設定する。また、制御用マイコン４２は、合成処理部２６に対して、拡大圧縮処理部２２から入力される映像データに、拡大圧縮処理部２５から入力される映像データをリモコン１５によって指定された位置に合成して出力するように設定するとともに、２つの映像データの境界部分のデータをマスクするように設定する。
【０２０７】
制御用マイコン４２が、映像処理ＬＳＩ４１をこのように制御することにより、表示パネル１２には、図３（ｃ）に示すように、ナビゲーション映像が全面に表示され、その一部の領域に、そのナビゲーション映像の一部を拡大した映像が合成されて出力される。また、拡大した映像の周りの部分のデータはマスクされているので、拡大映像部分の枠として表示される。
【０２０８】
次に、図１０に、本実施の形態２の他の構成の表示装置４４の構成図を示す。図９に示した表示装置４０と同じ構成部分には、同じ符号を用いている。
【０２０９】
図１０に示す表示装置４４は、図９に示す表示装置４０とは、映像処理ＬＳＩ４５の構成が異なる。映像処理ＬＳＩ４５は、図９の映像処理ＬＳＩ４１の入力切替部４３の代わりに、入力切替部４７を備えている。
【０２１０】
入力切替部４７は、制御用マイコン４６からの設定にしたがって、拡大圧縮処理部２２に、ナビ映像信号処理部２０で調整されＲＧＢ信号に変換されたナビ映像データを入力させるか、テレビ映像信号処理部２４でＲＧＢ信号に復調、変換されたテレビ映像データを入力させるかを、選択的に切り替える。
【０２１１】
図１において、後席用表示装置５１として表示装置４４を用いた場合の後席用表示装置５１の動作について、図１、図６および図１０を用いて説明する。
【０２１２】
リモコン１５により、後席用表示装置５１に対して、ナビゲーション映像の表示指示をした場合の動作、およびテレビの受信映像の表示指示をした場合の動作は、図３および図９を用いて説明した表示装置４０の動作と同様である。
【０２１３】
リモコン１５により、後席用表示装置５１に対して、ナビゲーション映像の一部にテレビ映像を含む合成画像の表示指示をした場合の動作について説明する。
【０２１４】
制御用マイコン４６は、赤外線受光部１４より受け取ったリモコン１５からの信号内容にしたがって、ナビ映像信号処理部２０で調整されたナビ映像データが拡大圧縮処理部２２に入力されるように、入力切替部４７の切り替えを制御する。また、制御用マイコン４６は、拡大圧縮処理部２２に、入力される映像データに対して、表示パネル１２全面に表示させるための画像サイズに調整する設定をする。
【０２１５】
また、制御用マイコン４６は、拡大圧縮処理部２５には、テレビ映像信号処理部２４で復調されて入力される映像データに対して、リモコン１５によって指定された縮小率で画像サイズの縮小を行うように設定し、合成処理部２６に対して、拡大圧縮処理部２２から入力される映像データに、拡大圧縮処理部２５から入力される映像データをリモコン１５によって指定された位置に合成して出力するように設定する。
【０２１６】
制御用マイコン４６が、映像処理ＬＳＩ４５をこのように制御することにより、表示パネル１２には、図６（ａ）に示すように、ナビゲーション映像が全面に表示され、その一部の領域にテレビ映像が合成されて出力される。
【０２１７】
次に、リモコン１５により、後席用表示装置５１に対して、テレビ映像に、そのテレビ映像の一部を拡大した映像を合成させた画像の表示指示をした場合の動作について説明する。
【０２１８】
この場合には、リモコン１５によって、表示切り替えの指示をするとともに、テレビ映像内の拡大表示させる部分、およびその拡大映像を表示させる位置および大きさも指示する。
【０２１９】
なお、このときにリモコン１５から発信された表示切り替え指示を示す信号が、本発明の第１映像データ合成指令の一例にあたる。
【０２２０】
制御用マイコン４６は、赤外線受光部１４より受け取ったリモコン１５からの信号内容にしたがって、テレビ映像信号処理部２４で復調されたテレビ映像データが拡大圧縮処理部２２に入力されるように、入力切替部４７の切り替えを制御する。また、制御用マイコン４６は、拡大圧縮処理部２２に、入力される映像データに対して、表示パネル１２全面に表示させるための画像サイズに調整する設定をする。
【０２２１】
また、制御用マイコン４６は、拡大圧縮処理部２５には、入力される映像データのリモコン１５によって指定された領域の映像データに対して、リモコン１５によって指定された拡大率で画像サイズの拡大を行うように設定する。また、制御用マイコン４６は、合成処理部２６に対して、拡大圧縮処理部２２から入力される映像データに、拡大圧縮処理部２５から入力される映像データをリモコン１５によって指定された位置に合成して出力するように設定する。
【０２２２】
制御用マイコン４６が、映像処理ＬＳＩ４５をこのように制御することにより、表示パネル１２には、図６（ｂ）に示すように、テレビ映像が全面に表示され、その一部の領域に、そのテレビ映像の一部を拡大した映像が合成されて出力される。
【０２２３】
以上に説明したように、本実施の形態２では、図９のように入力切替部４３を設けた映像処理ＬＳＩ４１を用いることにより、図３（ｃ）のようなナビゲーション映像内にそのナビゲーション映像の一部拡大映像の合成表示を実現でき、図１０のように入力切替部４７を設けた映像処理ＬＳＩ４５を用いることにより、図６（ｂ）のようなテレビ映像内にそのテレビ映像の一部拡大映像の合成表示を実現できる。
【０２２４】
映像処理ＬＳＩ内に入力切替部４３および入力切替部４７の両方を設けて、拡大圧縮処理部２２および２５のそれぞれについて、ナビ映像信号処理部２０で調整されたナビ映像データを入力させるか、テレビ映像信号処理部２４で復調されたテレビ映像データを入力させるかを、選択的に切り替えるようにすれば、図３（ｃ）の画面表示も図６（ｂ）の画面表示も、入力信号を入れ替えることもなく、一つの映像処理ＬＳＩで実現できる。
【０２２５】
なお、本実施の形態２の表示装置４０および４４も、実施の形態１と同様に、表示パネル１２に３２：９のワイドパネルを用いた表示装置にも適用でき、図４（ｂ）に示すような画面表示も実現できる。
【０２２６】
本実施の形態２の映像処理ＬＳＩ４１および４５は、図２に示した実施の形態１の映像処理ＬＳＩ１１と比較すると、拡大圧縮処理部２２および拡大圧縮処理部２５が同じ入力端子から入力された映像データを処理する場合に、実施の形態１のように拡大率等に応じた個別の調整処理を行わせることはできないが、テレビ映像信号処理部２１およびナビ映像信号処理部２３が必要ないので、実施の形態１に比べて回路規模を小さくできる。
【０２２７】
なお、各実施の形態では、１台のリモコン１５で、前席用表示装置５０および後席用表示装置５１の両方の表示切り替えを指示することとしたが、それぞれに個別の２台のリモコンを用いるようにしてもよい。また、赤外線以外の電波などで表示切り替え指示をするようにしてもよい。
【０２２８】
また、表示切り替えの指示は、リモコン以外で行うようにしてもよい。例えば、表示装置に設けられた操作ボタン等で指示するようにしてもよい。
【０２２９】
また、各実施の形態では、映像処理ＬＳＩに、ナビ映像データとしてＹＵＶ信号が、テレビ映像データとしてＮＴＳＣコンポジット信号がそれぞれ入力される例で説明したが、ナビ映像データとしてＮＴＳＣやＰＡＬ、ＳＥＣＡＭなどのコンポジット映像信号やＲＧＢ信号が入力されてもよいし、テレビ映像データとしてＮＴＳＣ以外のコンポジット映像信号やＹＵＶ信号、ＲＧＢ信号が入力されてもよい。
【０２３０】
また、各実施の形態では、入力される映像データを、ナビ映像データとテレビ映像データの２つの映像データを用いて説明したが、これら以外の映像データが入力されるものであってもよい。例えば、ＤＶＤで再生された映像データや、ビデオカメラで撮影された映像データや、ＯＳＤ用の画像データなどが入力されてもよい。
【０２３１】
また、入力される映像データは２つに限らず、３つ以上の異なる映像データが入力される構成としてもよい。
【０２３２】
また、各実施の形態では、本発明の映像処理デバイスの例を、映像処理ＬＳＩを用いて説明したが、ＬＳＩ以外の映像処理デバイスであってもよい。例えば、各実施の形態で用いた映像処理ＬＳＩの構成を、ＣＰＵやメモリなどを接続した回路で実現してもよい。
【０２３３】
また、各実施の形態では、通常サイズで表示した映像データに、同じその映像データの一部を拡大して合成表示する例で説明したが、同じ映像データを拡大または縮小した映像データ同士の合成であれば、どのような組み合わせでも実現できる。例えば、パネル全面にナビ映像データの一部を拡大した表示をさせ、その表示範囲の一部に、そのナビ映像データ全体を縮小したものを合成表示させることや、パネル全面にナビ映像データの一部を拡大した表示をさせ、その表示範囲の一部に、その表示させているナビ映像データのさらに一部をさらに拡大した映像を合成表示させることなどもできる。
【０２３４】
このように、本発明の表示装置を用いることにより、一つの映像データに拡大または縮小したその映像データを合成した表示を、表示装置によって実現することができる。
【０２３５】
そして、本発明の映像処理ＬＳＩは、従来の表示装置に用いられている図１２に示した映像処理ＬＳＩ６５のような２映像合成描画可能な映像処理ＬＳＩに、入力切替部２７、３４、３９、４３、４７のようなスイッチ回路を設けただけの構成なので容易に作製できる。つまり、本発明の映像処理デバイスは、従来の２映像合成描画用回路をそのまま利用できるものである。
【０２３６】
これによって、例えば、複数の表示装置を備えたカーナビゲーションシステムなどでは、運転者が前席用表示装置で見ている表示内容と独立して、後席に搭乗している人が後席用表示装置で、ナビゲーション画面内の一部拡大したい箇所を拡大して表示させることができるようになる。
【０２３７】
また、ナビ本体にナビゲーション地図の一部を拡大してそのナビゲーション地図と合成する機能が無い場合でも、本発明の表示装置を用いることにより、この機能を実現することができる。この効果は、表示装置が１台の構成のカーナビゲーションシステムでも発揮されるものである。
【０２３８】
なお、各実施の形態では、カーナビゲーションシステムを例に説明したが、本発明は、２映像合成描画可能な映像処理ＬＳＩが搭載された表示装置を用いるものであれば、カーナビゲーションシステム以外のディスプレイシステムにも適用できるものである。
【産業上の利用可能性】
【０２３９】
本発明に係る映像処理デバイス、映像処理ＬＳＩ、表示装置、およびカーナビゲーションシステムは、表示装置において、入力される一つの映像データに、拡大または縮小した同じその映像データを合成して描画できる効果を有し、複数の入力映像データを合成可能な映像処理デバイス、映像処理ＬＳＩ、表示装置、およびカーナビゲーションシステム等として有用である。
【図面の簡単な説明】
【０２４０】
【図１】本発明の実施の形態１および２のカーナビゲーションシステムの構成図
【図２】本発明の実施の形態１の表示装置の構成図
【図３】（ａ）本発明の実施の形態１の前席用表示装置の表示例を示す図、（ｂ）本発明の実施の形態１の後席用表示装置の表示例を示す図、（ｃ）本発明の実施の形態１の後席用表示装置の表示例を示す図
【図４】（ａ）本発明の実施の形態１の表示装置に３２：９のワイドパネルを用いた場合の、後席用表示装置の表示例を示す図、（ｂ）本発明の実施の形態１の表示装置に３２：９のワイドパネルを用いた場合の、後席用表示装置の表示例を示す図
【図５】本発明の実施の形態１の映像処理ＬＳＩに入力する映像データの入力端子を入れ替えた場合の表示装置の構成図
【図６】（ａ）本発明の実施の形態１の映像処理ＬＳＩに入力する映像データの入力端子を入れ替えた場合における、後席用表示装置の表示例を示す図、（ｂ）本発明の実施の形態１の映像処理ＬＳＩに入力する映像データの入力端子を入れ替えた場合における、後席用表示装置の表示例を示す図
【図７】本発明の実施の形態１の、他の構成の表示装置の構成図
【図８】本発明の実施の形態１の、他の構成の表示装置の構成図
【図９】本発明の実施の形態２の表示装置の構成図
【図１０】本発明の実施の形態２の、他の構成の表示装置の構成図
【図１１】従来の、表示装置に複数入力される映像を合成して表示可能な表示装置を備えたカーナビゲーションシステムの構成図
【図１２】従来の、表示装置に複数入力される映像を合成して表示可能な表示装置の構成図
【図１３】従来の、表示装置に複数入力される映像を合成して表示可能な表示装置において、切り替え表示される表示画面例を示す図
【符号の説明】
【０２４１】
１０、３０、３５、４０、４４  表示装置
１１、３１、３６、４１、４５  映像処理ＬＳＩ
１２  表示パネル
１３、３２、３７、４２、４６  制御用マイコン
１４  赤外線受光部
１５  リモコン
１６、１７  入力端子
１８  出力端子
２０、２３  ナビ映像信号処理部
２１、２４  テレビ映像信号処理部
２２、２５  拡大圧縮処理部
２６  合成処理部
２７、３４、３９、４３、４７  入力切替部
３３、３８  ナビ／テレビ映像信号処理部
５０  前席用表示装置
５１  後席用表示装置
６０  ナビ本体
６１  テレビチューナ
【図１】
2009265186.tif 000003
【図２】
2009265186.tif 000004
【図３】
2009265186.tif 000005
【図４】
2009265186.tif 000006
【図５】
2009265186.tif 000007
【図６】
2009265186.tif 000008
【図７】
2009265186.tif 000009
【図８】
2009265186.tif 000010
【図９】
2009265186.tif 000011
【図１０】
2009265186.tif 000012
【図１１】
2009265186.tif 000013
【図１２】
2009265186.tif 000014
【図１３】
2009265186.tif 000015